(57)【要約】【課題】軽量でありながら、安定性に優れ、腹筋運動時に腹筋台が揺動することがなく、かつ、耐久性に優れた腹筋台を提供することを目的とする。【解決手段】腹筋台本体の一端には脚を屈曲して乗せるための凸部と、前記凸部の外方面で脛を固定する手段と、前記凸部の内方面で大腿部を固定する手段と、板状の材料からなり、両端部が同一方向に屈曲され、前記両端部が腹筋台本体を挟み込むように腹筋台本体の裏側に取り付けられた基盤部材と、前記基盤部材の両端部に機械的方法で取り付けられる連結部材とからなることを特徴とする腹筋台である。【選択図】                図１
2004208835.tif 000002
【特許請求の範囲】
【請求項１】
中空状に一体形成した腹筋台本体（１）を有する腹筋台であって、
前記腹筋台本体（１）の一端には脚を屈曲して乗せるための凸部（５）と、
前記凸部（５）の外方面（６）で脛を固定する手段と、前記凸部（５）の内方面（７）で大腿部を固定する手段と、
板状の材料からなり、両端部（８）が同一方向に屈曲され、前記両端部（８）が前記腹筋台本体（１）を挟み込むように腹筋台本体（１）の裏側に取り付けられた基盤部材（２）と、
前記基盤部材（２）の両端部（８）に機械的方法で取り付けられる、連結部材（３）と、
からなることを特徴とする腹筋台。
【請求項２】
前記凸部（５）の前記外方面（６）で脛を固定する手段と、前記凸部（５）の内方面（７）で大腿部を固定する手段は、前記連結部材（３）に挿通された一本のベルト（４）で構成され、前記ベルトは閉ループであることを特徴とする請求項１の腹筋台。
【請求項３】
前記連結部材（３）の外方孔（９）の上方面（１３）は、少なくともベルト（４）の厚さ分以上、基準面（１１）からずらし、内方孔（１０）は、少なくともベルト（４）の厚さ分以上、前記基準面（１１）から前記上方面（１３）とは反対側にずらして設けたガイド面（１２）で形成することを特徴とする請求項１または請求項２の腹筋台。
【発明の詳細な説明】
【０００１】
【発明の属する技術分野】
本発明は、足の脛部と大腿部を固定する手段を持つ、腹筋運動時にも揺動しない軽量腹筋台に関するものである。
【０００２】
【従来の技術】
一般に腹筋台は、運動者の身長より長く構成され、足首や膝、大腿部をベルト等で固定し、台の上で腹筋運動を行うものであった。また、脚部から頭部までを伸ばして腹筋運動を行うと腰椎に負担がかかるので、脚部や上体を曲げて腹筋運動ができるような補助具を腹筋台に付加する提案されている（例えば特許文献１）。さらに、平面板を基本材料として、軽量、コンパクトで安価な腹筋台を提供する提案もなされている（例えば特許文献２）。
【０００３】
【特許文献１】
特開２０００−８４１１４号公報
【特許文献２】
登録実用新案３０００５４４号公報
【０００４】
【発明が解決しようとする課題】
しかし、台の上で腹筋運動を行う腹筋台は、安定感がある反面大型となり、保管スペースや使用場所への移動が困難である。脚部を曲げて固定するための補助具を付加すれば、さらに質量が増加するという問題を有していた。
【０００５】
また、平面板を基本材料とした軽量腹筋台は、腹筋運動時に腹筋台全体が揺動するので安定性に劣り、平面板の肉厚は薄いので、脚部の固定用ベルトや固定用ベルトを取り付けるための金具を腹筋台に取り付けると、腹筋台本体の耐久性が落ちるという問題を有していた。
【０００６】
本発明は、かかる問題点を考慮してなされ、腹筋台本体に穴や切り欠きを設けることなく脚部の固定手段を取り付ける構造を設け、軽量でありながら耐久性に優れ、しかも腹筋運動時にも安定して揺動しない腹筋台を提供することを目的とする。
【０００７】
【課題を解決するための手段】
かかる問題点を解決するための請求項１の発明は、腹筋台本体の一端には脚を屈曲して乗せるための凸部と、前記凸部の外方面で脛を固定する手段と、前記凸部の内方面で大腿部を固定する手段と、板状の材料からなり、両端部が同一方向に屈曲され、前記両端部が腹筋台本体を挟み込むように腹筋台本体の裏側に取り付けられた基盤部材と、前記基盤部材の両端部に機械的方法で取り付けられる連結部材とからなることを特徴とする腹筋台である。
【０００８】
脚を伸ばしたまま脛または大腿部を固定して腹筋運動を行うと、腰部に負担がかかるので、腹筋台本体の一端に脚部を屈曲させて保持する凸部を設けた。この凸部の内側が空洞になるように、板状の合成樹脂材料を用いてブロー形成で一体成形することで軽量化を実現できる。
【０００９】
また、凸部の外方面で脛を固定すると、腹筋運動時には、凸部の外側斜面に垂直な方向に力が働く。一方で、凸部の内方面で大腿部を固定すると、凸部の内側斜面に垂直な方向に力が働く。この二つの力の水平分力は互いに相殺するから、腹筋台の水平方向への揺動が減少する。
【００１０】
一方、二つの力の垂直分力は、腹筋台本体を持ち上げ流方向に作用するが、使用者の体重により、腹筋台の垂直方向への揺動が抑えられる。また、この効果を得るには、使用者の体重が腹筋台に作用すればよいから、腹筋台は使用者の身長よりも短くしても良く、さらに軽量化をすることが可能である。
【００１１】
さらに、基盤部材は、腹筋台本体の裏側に接着や両面テープなどの手段で取り付けられ、腹筋台本体に穴などの強度的に不安定になる要素を加えずに装着するので、腹筋運動時の繰り返し荷重によって、基盤部材の取り付け部分から腹筋台本体が破損することもない。
【００１２】
連結部材は、基盤部材の両端に機械的方法で取り付ける。機械的方法は、ネジ止めや溶接が適している。連結部材は、脛を固定する手段と、大腿部を固定する手段が連結され、腹筋運動の荷重が直接加わる部材であるから、直接腹筋台本体の側面に接しないように取り付ける。
【００１３】
【発明の実施の形態】
以下にこの発明の実施例を、図面を参照して説明する。図１は、中空状に一体形成した腹筋台本体１を有する腹筋台であって、前記腹筋台本体１の一端には脚を屈曲して乗せるための凸部５と、前記凸部５の外方面６で脛を固定する手段と、前記凸部５の内方面７で大腿部を固定する手段と、板状の材料からなり、両端部８が同一方向に屈曲され、前記両端部８が前記腹筋台本体１を挟み込むように腹筋台本体１の裏側に取り付けられた基盤部材２と、前記基盤部材２の両端部８に機械的方法で取り付けられる、連結部材３と、からなることを特徴とする腹筋台である。
【００１４】
軽量化のために、腹筋台本体１は、板状の樹脂材料をブロー成形で中空状に形成する。また、腹筋台本体を構成するパーツを熱成形、あるいは射出成形で形成し、それぞれを組み立てて中空状にしても良い。用いる樹脂は、ポリエチレン・ポリプロピレンなど比重が１．０以下の樹脂が適している。
【００１５】
また、基盤部材２は、直接樹脂製の腹筋台本体１と接触するので、発砲材等を介して腹筋台本体１に取り付けることが望ましい。また、連結部材３を通じて腹筋運動時の荷重が伝わるので、基盤部材２の、特に屈曲された両端部８の捩れ剛性と曲げ剛性は高い方が望ましい。このため、強度と質量を考慮すると、用いる材料は、金属であればアルミニウム合金やチタン合金、マグネシウム合金が好ましい。樹脂材料であれば、ポリカーボネートなどが望ましい。基盤部材２の小型化に留意して質量を抑えれば、安価なステンレス等の鉄系材料を用いることも可能である。
【００１６】
連結部材３は、脛と大腿部の支持部に加わる荷重を直接受ける部材であるが、ベルト４との摩擦を考慮して前記ベルト４と同素材を使用する事が望ましい。用いる材料としてはナイロンが好ましい。
【００１７】
また腹筋運動時に、凸部５の外方面６に垂直な方向に力が作用する、外方面６で脛を固定する手段と、凸部５の内方面７に垂直な方向に力が作用する、内方面７で大腿部を固定する手段を、連結部材３を介して連結して荷重を相殺し、連結部材３に加わる力を低く抑えることができる。軽量化のために板状の材料を加工した腹筋台本体１は、外部から加わる力に対して変形しやすいから、基盤部材２を介して腹筋台本体１に連結される連結部材３に加わる力を低く抑えることで、腹筋台の耐久性を改善することができる。
【００１８】
【実施例】
本発明の好ましい実施例を、図を用いて説明する。図１に示すベルト４は、途中で切れているのではなく、奥方向に伸び、閉ループ状に構成されている。従って、凸部５の外方面６で脛を固定する手段と、凸部５の内方面７で大腿部を固定する手段は、連結部材３に挿通された一本のベルト４で繋がっている。
【００１９】
閉ループ状のベルト４にかかる張力は均一になるから、連結部材３に外方面６と内方面７方向に作用する力はほぼ相殺され、上方にのみ作用する。従って、腹筋台本体１の耐久性はさらに改善される。
【００２０】
図５は、本発明の腹筋台本体１と基盤部材２の取り付け位置関係を示す図である。基盤部材２は、その両端部８を同方向へほぼ直角に曲げ、両端部８の内側の寸法は、腹筋台本体１の幅よりもわずかに広くして、腹筋台本体１の側面と基盤部材２が接触しないようにする。
【００２１】
そして、基盤部材２は、基盤部材２の幅Ｗよりもわずかに広くした腹筋台本体１の底面に設けられた溝１５に嵌め込まれる。基盤部材２と溝１５は両面テープや接着剤により固着され、腹筋台本体１に応力集中の要因となる形態はとらない。また、溝１５は基盤部材２の厚みよりも深くなるように設け、基盤部材２を取り付けた上体で腹筋台を設置しても、基盤部材２が床に接しないようにした。
【００２２】
連結部材３から基盤部材２に作用する力は、腹筋台を上方に持ち上げる方向に作用するから、連結部材２が溝１５から外れることはない。本実施例においては、さらに溝にノッチ１６を設けることにより基盤部材２が外れにくくした。
【００２３】
図３は、連結部材３の好ましい実施例である。ベルト４にかかる張力を均一にするためには、連結部材３とベルト４の間の摩擦抵抗を減らす必要があるので、連結部材３に設けられる外方孔９の上方面１３は、少なくともベルト４の厚さ分以上基準面１１からずらし、内方孔１０は、基準面１１と、少なくともベルト４の厚さ分以上、上方面１３とは反対側にずらして設けたガイド面１２で形成することが望ましい。
【００２４】
いうまでもなく、外方孔９と内方孔１０の配置は、腹筋台本体に対して逆にしても同様の効果を得ることができる。また、基盤部材２に、連結部材３の折り返し孔１４と対応する位置に長孔を設け、基盤部材２にもベルト４を通すことで、さらに耐久性を改善することができる。
【００２５】
【発明の効果】
本発明は、以上のように、腹筋台本体に穴や切り欠きを設けることなく脚部の固定用ベルトを取り付ける構造を設け、軽量でありながら耐久性に優れ、水平方向の荷重は脛と大腿部を固定する装置にかかる荷重で相殺し、上下方向の荷重は、脛と大腿部を固定する装置と体重で相殺できるので、腹筋運動時にも揺動しない腹筋台を提供することができる。
【図面の簡単な説明】
【図１】本発明の腹筋台の側面図。
【図２】本発明の腹筋台本体の側面図と底面図
【図３】本発明の連結部材の部品図
【図４】本発明の基盤部材の部品図
【図５】本発明の腹筋台本体と基盤部材と連結部材の組み立て関係を示す図
【符号の説明】
１  腹筋台本体、２  基盤部材、３  連結部材、４  ベルト、５  凸部、６  外方面、７  内方面、８  両端部、９  外方孔、１０  内方孔、１１  基準面、１２  ガイド面、１３  上方面、１４  折り返し孔、１５溝、１６  ノッチ、Ｗ  基盤部材の幅
【図１】
2004208835.tif 000003
【図２】
2004208835.tif 000004
【図３】
2004208835.tif 000005
【図４】
2004208835.tif 000006
【図５】
2004208835.tif 000007